(57)【要約】【課題】  保管及び移動が容易であり、一つのＬＥＤ灯が故障または破損される場合、個別制御が可能で補修作業が容易であり、状況による照度選択及び維持費用の節減が可能な結合式ＬＥＤ灯を提供する。【解決手段】  結合式ＬＥＤ灯であって、内側にＬＥＤ素子を備えた回路基板１１を備え、一端部に端子キャップ１２を備え、他端部には一端面に多数の挿合孔１３３が形成された第１エンドキャップ１３を備える第１胴体部１と、前記第１胴体部１と結合され、内側にＬＥＤ素子を備えた回路基板２１を備え、一端部に端子キャップ２２を備え、他端部には一端面に前記挿合孔１３３に対応する多数の結合突起２３３が形成された第２エンドキャップ２３を備える第２胴体部２とを含んでなり、第１エンドキャップ１３及び第２エンドキャップ２３を対向させて一直線上に位置するようにした後、挿合孔１３３に結合突起２３３を内挿してから回転結合することで完成される。【選択図】  図１
2014216068.tif 000002
【特許請求の範囲】
【請求項１】
結合式ＬＥＤ灯において、
内側にＬＥＤ素子を備えた回路基板１１を備え、一端部に端子キャップ１２を備え、他端部には一端面に多数の挿合孔１３３が形成された第１エンドキャップ１３を備える第１胴体部１と、
前記第１胴体部１と結合され、内側にＬＥＤ素子を備えた回路基板２１を備え、一端部に端子キャップ２２を備え、他端部には一端面に前記挿合孔１３３に対応する多数の結合突起２３３が形成された第２エンドキャップ２３を備える第２胴体部２とを含んでなり、
第１エンドキャップ１３及び第２エンドキャップ２３を対向させて一直線上に位置するようにした後、挿合孔１３３に結合突起２３３を内挿してから回転結合することで完成されることを特徴とする、結合式ＬＥＤ灯。
【請求項２】
前記第１胴体部１は、回路基板１１を備えたフレーム１ａと、前記フレーム１ａの下端部に結合され、フレーム１ａに備えられた回路基板１１を収容する形態に結合されるカバー１ｂとからなり、第２胴体部２は、回路基板２１を備えたフレーム２ａと、前記フレーム２ａの下端部に結合され、フレーム２ａに備えられた回路基板２１を収容する形態に結合されるカバー２ｂとからなることを特徴とする、請求項１に記載の結合式ＬＥＤ灯。
【請求項３】
前記第１胴体部１の第１エンドキャップ１３の一端面の中心には外部に突出する形状の位置補正突起１３１が形成され、第２胴体部２の第２エンドキャップ２３の一端面の中心には内側に陷沒した形状に位置補正突起１３１が内挿される位置補正孔２３１が形成されることを特徴とする、請求項１に記載の結合式ＬＥＤ灯。
【請求項４】
前記第１胴体部１の第１エンドキャップ１３は、位置補正突起１３１を中心に一端面の一部が穿孔されて多数のロック片１３４が形成され、第２胴体部２の第２エンドキャップ２３は、位置補正孔２３１を中心に前記ロック片１３４に対応するように一端面の一部が穿孔されて多数のロック孔２３４が形成されることを特徴とする、請求項１に記載の結合式ＬＥＤ灯。
【請求項５】
前記第１胴体部１の第１エンドキャップ１３の一部を開放した開口部１３２が形成され、これは第１胴体部１の内側に形成された通気孔１４に対応するようにして、通気孔１４からの熱気を発散するようにし、第２胴体部２の第２エンドキャップ２３の一部を開放した開口部２３２が形成され、これは第２胴体部２の内側に形成された通気孔２４に対応するようにして、通気孔２４からの熱気を発散することを特徴とする、請求項１に記載の結合式ＬＥＤ灯。
【発明の詳細な説明】
【技術分野】
【０００１】
本発明はＬＥＤ灯に係り、結合式で形成されて保管及び移動が容易な結合式ＬＥＤ灯に関する。
【背景技術】
【０００２】
一般に、ＬＥＤ灯は、回路基板に多数のＬＥＤ素子を配置し、外部要因から保護するためにケースなどに内挿される形態に使われている。
【０００３】
このようなＬＥＤ灯の場合、固定型のケースが大部分であるため、保管及び移動が不便な欠点があった。
【０００４】
また、一体型に備えられるＬＥＤ灯は、内側に備えられるＬＥＤ素子の一部が故障などの理由で動作しない場合、ＬＥＤ素子が配置される回路基板全体を取り替えなければならない不便な点もあった。
【０００５】
または、このような欠点を克服するために、多数の回路基板を備えて、回路基板別に別途の制御方式を使ったりしたが、これもやはり同一ケースの内側に多数の基板を備えるため、個々の回路基板の破損の際、ケース全体を分解しなければならない問題のため、補修時まで使うことができない欠点があった。
【発明の概要】
【発明が解決しようとする課題】
【０００６】
このような欠点を克服するため、本発明は移動及び保管が容易で、個別制御が可能な結合式ＬＥＤ灯を提供することを目的とする。
【０００７】
また、本発明は、一つのＬＥＤ灯が故障または破損される場合、個別制御が可能であって補修作業が容易な結合式ＬＥＤ灯を提供することを目的とする。
【０００８】
また、本発明は、個々のＬＥＤ灯を個別制御することができ、状況による照度選択及び維持費用の節減が可能な結合式ＬＥＤ灯を提供することを目的とする。
【０００９】
また、単一長軸型製品に比べ、生産性が高く、包装及び運送上の不利な点を解決することができるし、設置の際に単純組立て構造体の折畳方式を用いて既存の長軸型製品の欠点を克服して容易性を提供することを目的とする。
【課題を解決するための手段】
【００１０】
前記のような目的を達成するため、本発明の結合式ＬＥＤ灯は、内側にＬＥＤ素子を備えた回路基板を備え、一端部に端子キャップを備え、他端部には一端面に多数の挿合孔が形成された第１エンドキャップを備える第１胴体部と、前記第１胴体部と結合され、内側にＬＥＤ素子を備えた回路基板を備え、一端部に端子キャップを備え、他端部には一端面に前記挿合孔に対応する多数の結合突起が形成された第２エンドキャップを備える第２胴体部とを含んでなり、第１エンドキャップ及び第２エンドキャップを対向させて一直線上に位置するようにした後、挿合孔に結合突起を内挿してから回転結合することで完成される。
【００１１】
また、前記第１胴体部は、回路基板を備えたフレームと、前記フレームの下端部に結合され、フレームに備えられた回路基板を収容する形態に結合されるカバーとからなり、第２胴体部は、回路基板を備えたフレームと、前記フレームの下端部に結合され、フレームに備えられた回路基板を収容する形態に結合されるカバーとからなり、前記第１胴体部の第１エンドキャップの一端面の中心には外部に突出する形状の位置補正突起が形成され、第２胴体部の第２エンドキャップの一端面の中心には内側に陷沒した形状に位置補正突起が内挿される位置補正孔が形成される。
【００１２】
また、前記第１胴体部の第１エンドキャップは、位置補正突起を中心に一端面の一部が穿孔されて多数のロック片が形成され、第２胴体部の第２エンドキャップは、位置補正孔を中心に前記ロック片に対応するように一端面の一部が穿孔されて多数のロック孔が形成され、前記第１胴体部の第１エンドキャップの一部を開放した開口部が形成され、これは第１胴体部の内側に形成された通気孔に対応するようにして、通気孔からの熱気を発散するようにし、第２胴体部の第２エンドキャップの一部を開放した開口部が形成され、これは第２胴体部の内側に形成された通気孔に対応するようにして、通気孔からの熱気を発散する。
【００１３】
このような第１胴体部と第２胴体部を回転結合して棒状に組み立てて使うようになる。
【発明の効果】
【００１４】
本発明の結合式ＬＥＤ灯を提供することにより、保管及び移動が容易であり、一つのＬＥＤ灯が故障または破損される場合、個別制御が可能で補修作業が容易であり、状況による照度選択及び維持費用の節減が可能な効果がある。
【図面の簡単な説明】
【００１５】
【図１】本発明の斜視図である。
【図２】本発明の展開斜視図である。
【図３】本発明の断面図である。
【図４】本発明の結合式ＬＥＤ灯の第１エンドキャップの斜視図である。
【図５】本発明の結合式ＬＥＤ灯の第２エントケブの斜視図である。
【図６】本発明の第１エンドキャップ及び第２エンドキャップの結合を示すための第１エンドキャップの背面図である。
【図７】本発明の第１エントケブ及び第２エンドキャップの結合を示すための第２エンドキャップの背面図である。
【図８】本発明の動作状態を示すための例示図である。
【発明を実施するための形態】
【００１６】
以下、本発明の結合式ＬＥＤ灯を当業者が容易に実施できるように、添付図面に基づいて詳細に説明する。
【００１７】
図１は本発明の斜視図、図２は本発明の展開斜視図、図３は本発明の断面図である。
【００１８】
図１〜図３を参照して詳細に説明すれば、本発明の結合式ＬＥＤ灯は第１胴体部１と第２胴体部２でなり、前記第１胴体部１と第２胴体部２を回転方式で結合して棒状のＬＥＤ灯に変形できるようにする。
【００１９】
前記第１胴体部１は、フレーム１ａと、前記フレーム１ａに結合されるカバー１ｂとからなる第１胴体部１の内側に多数のＬＥＤ素子が装着された回路基板１１を備えており、一端部に灯器具の接続端子と結合される端子キャップ１２が備えられ、前記端子キャップ１２が備えられた第１胴体部１の他側には第１エンドキャップ１３が備えられる。
【００２０】
ここで、前記回路基板１１はフレーム１ａとカバー１ｂの間に配設されて、汚染及び破損などの外部要因から光源である回路基板１１を保護するためのものである。
【００２１】
前記第１胴体部１と回転方式で結合される第２胴体部２も、フレーム２ａと、前記フレーム２ａに結合されるカバー２ｂとからなり、内側に多数のＬＥＤ素子が装着された回路基板２１を備えており、一端部に灯器具の接続端子と結合される端子キャップ２２が備えられ、他端部には第１胴体部１の第１エンドキャップ１３に対応する第２エンドキャップ２３が備えられる。
【００２２】
また、第２胴体部２の回路基板２１もフレーム２ａの下端部に備えられ、フレーム２ａとカバー２ｂの間に位置して、汚染及び破損などの外部要因から保護されるようにするものである。
【００２３】
前記のような第１胴体部１の端子キャップ１２及び第２胴体部２の端子キャップ２２は一側に接続端子（図示せず）を備える形態に形成される。これは、内側に備えられるそれぞれの回路基板１１、２１に結線されてＬＥＤ素子に電源を供給するためのものである。
【００２４】
前記のように構成された第１胴体部１と第２胴体部２の第１エンドキャップ１３及び第２エンドキャップ２３を対向させて回転させることで、第１胴体部１と第２胴体部２を結合して棒状のＬＥＤ灯に変換して使うようになる。
【００２５】
図４は本発明の結合式ＬＥＤ灯の第１エンドキャップ１３の斜視図、図５は本発明の結合式ＬＥＤ灯の第２エントケブ２３の斜視図、図６は本発明の第１エンドキャップ１３及び第２エンドキャップ２３の結合を示すための第１エンドキャップ１３の背面図、図７は本発明の第１エントケブ１３及び第２エンドキャップ２３の結合を示すための第２エンドキャップ２３の背面図である。
【００２６】
図４〜図７を参照して詳細に説明すれば、第１胴体部１と第２胴体部２の一端部に備えられる第１エンドキャップ１３及び第２エンドキャップ２３は相互に対応するように形成される。
【００２７】
前記第１エンドキャップ１３の中心部に位置補正突起１３１が形成され、前記位置補正突起１３１を中心にして放射状に配置される多数の挿合孔１３３とロック片１３４が形成される。
【００２８】
また、第１エンドキャップ１３の一側には一部が開放した形状の開口部１３２がさらに形成される。
【００２９】
前記位置補正突起１３１は、第１胴体部１と第２胴体部２を結合するとき、第１胴体部１と第２胴体部２が一直線上に位置するように位置を補正するためのものである。
【００３０】
前記位置補正突起１３１を中心にして放射状に配置された多数の挿合孔１３３は第１エンドキャップ１３の一端面に穿設されたもので、内挿される第２エンドキャップ２３の結合突起２３３と結束するためのものである。
【００３１】
より詳細に説明すれば、前記挿合孔１３３に内挿される結合突起２３３は、第１胴体部１と第２胴体部２を相対回転させれば、挿合孔１３３の一側に形成された狭幅の孔に結合突起２３３の一部が係合されることで、第１胴体部１と第２胴体部２が離脱しないように結束するものである。
【００３２】
また、前記ロック片１３４は、挿合孔１３３と同様に、胴体部１の一端面に位置補正突起１３１を中心にして放射状に形成される。
【００３３】
この際、前記ロック片１３４は第１エンドキャップ１３の一端面の一部に穿設される。
【００３４】
より詳細に説明すれば、第１エンドキャップ１３の一端面の一部をロック片１３４を除いて穿孔して形成するものである。
【００３５】
前記のように形成されたロック片１３４は、その端部が突出した楔状に形成され、第２エンドキャップ２３のロック孔２３４に結束されて結合力を維持するようになるものである。
【００３６】
前記第１エンドキャップ１３に結合される第２エンドキャップ２３の中心部には位置補正突起１３１が内挿される位置補正孔２３１が形成され、前記位置補正孔２３１を中心にして、挿合孔１３３に対応する多数の結合突起２３３及びロック片１３４に対応するロック孔２３４が放射状に配設される。
【００３７】
また、第２エンドキャップ２３の一端面にも一部が開放した形状の開口部２３２がさらに形成される。
【００３８】
ここで、前記第１エンドキャップ１３の開口部１３２及び第２エンドキャップ２３の開口部２３２は、回転結合の際に結合位置を判断するための基準として機能するとともに第１胴体部１の内側に形成される通気孔１４及び第２胴体部２の内側に形成される通気孔２４からの熱気を発散させるためのものである。
【００３９】
前記のような第２エンドキャップ２３の一側に形成された位置補正孔２３１は第２エンドキャップ２３の内側に陷沒した形状に形成され、これに第１エンドキャップ１３の位置補正突起１３１が対応して内挿されるものであり、これも、第１胴体部１と第２胴体部２を結合するとき、一直線上に位置するように位置を補正するものである。
【００４０】
前記結合突起２３３も位置補正孔２３１を中心にして放射状に配置され、第２エンドキャップ２の一側面に突出する形態に形成される。前記のような結合突起２３３は側面部一部が内側に陷沒した形状に形成され、陷沒した部分に第１エンドキャップ１３の挿合孔１３３の一部が係合されて結合力を維持するようになる。
【００４１】
前記ロック孔２３４も位置補正孔２３１を中心にして放射状に配置され、これに第１エンドキャップ１３のロック片１２４が結合して結束力を維持するようになるものである。
【００４２】
前記のようなロック片１２４も第２エンドキャップ２３の一端の一部を穿孔して形成される。
【００４３】
図８は本発明の動作状態を示すための例示図である。
【００４４】
図８を参照して詳細に説明すれば、第１胴体部１と第２胴体部２はそれぞれ分離して容易に保管及び移動するように構成される。
【００４５】
前記のように分離されている第１胴体部１と第２胴体部２の第１エンドキャップ１３及び第２エンドキャップ２３を対向させて一直線上に位置させた後、第１エンドキャップ１３の位置補正突起１３１を第２エンドキャップ２３の位置補正孔２３１に内挿するようにする。
【００４６】
前記のように位置補正突起１３１が位置補正孔２３１に内挿するように、第１胴体部１と第２胴体部２を位置させた後、第１エンドキャップ１３の挿合孔１３３に第２エンドキャップ２３の結合突起２３３を内挿し、第１エンドキャップ１３のロック片１３４を第２エンドキャップ２３のロック孔２３４に内挿した後、第１胴体部１と第２胴体部２を互いに反対方向に回転させることで、第１エンドキャップ１３及び第２エンドキャップ２３を結合するようになる。
【００４７】
この際、前記結合突起２３３と挿合孔１３３、かつロック片１３４とロック孔２３４の相互作用により結束力を高めることで、第１胴体部１と第２胴体部２が互いに離脱しないように棒状を維持することができるものである。
【００４８】
前記のような第１胴体部１と第２胴体部２は、保管及び移動の際、結合方法の逆順に分離して保管及び移動することができるものである。
【産業上の利用可能性】
【００４９】
本発明は、結合式に形成されて保管及び移動が容易な結合式ＬＥＤ灯に適用可能である。
【符号の説明】
【００５０】
１    第１胴体部
１ａ    フレーム
１ｂ    カバー
２    第２胴体部
２ａ    フレーム
２ｂ    カバー
１１    回路基板
１２    端子キャップ
１３    第１エンドキャップ
１４    通気孔
２１    回路基板
２２    端子キャップ
２３    第２エンドキャップ
１３１    位置補正突起
１３２    開口部
１３３    挿合孔
１３４    ロック片
２３１    位置補正孔
２３２    開口部
２３３    結合突起
２３４    ロック孔
【図１】
2014216068.tif 000003
【図２】
2014216068.tif 000004
【図３】
2014216068.tif 000005
【図４】
2014216068.tif 000006
【図５】
2014216068.tif 000007
【図６】
2014216068.tif 000008
【図７】
2014216068.tif 000009
【図８】
2014216068.tif 000010